(57)【要約】【課題】カード所有者以外が不正に入手したカードを利用して操作を行うことを防止する入退管理装置を提供する。【解決手段】入場可能なカードが使用された場合は、カード利用者が本人であるかを確認するために、暗証番号入力モードに移行する(S30)。暗証番号入力モードに入ると、入力暗証番号表示部の入力対象の桁部を点滅させる制御を実施し、これから入力する番号が暗証番号の何桁目であるかを指示する(S31)。入退管理装置はカードタッチされたことを検出する(S32)と、S30でチェックしたカードと同じであるかチェックを行い(S33)、同一であると確認された場合には、カードがタッチされている時間の計測を開始する。S32でカードタッチを検出してから暗証番号入力判断時間経過後も、カードがタッチされているかの判断を行い(S35)、カードが既になかった場合には現在の入力対象桁の暗証番号の数字を+１積算する(S36)。【選択図】図３
2010033370.tif 000002
【特許請求の範囲】
【請求項１】
非接触ICカード内に記録されている情報を読み出し、その内容を判定することによって、カード利用者の入退可否判断を行う入退管理装置において、少なくとも、
アンテナ部を介して前記カードと通信を行う通信手段と、
入力すべき暗証番号の入力桁と当該桁に入力される数字を表示する表示手段と、
該表示手段における前記表示の制御を行う表示機能制御手段と、
前記通信手段及び、前記表示機能制御手段をそれぞれ制御する中央処理手段と、
を備え、
前記中央処理手段は、
カードをタッチする回数と、そのタッチ時間の組合わせから、カード利用者が正規のカード所有者であるか否かを判断するカード所有者判断手段を備えている、
ことを特徴とする入退管理装置。
【請求項２】
前記中央処理手段は、
前記カード所有者判断手段により正規のカード利用者であると判断された場合に、前記カード利用者に許可される操作を入退制御に係る操作として許可することを特徴とする請求項１記載の入退管理装置。
【請求項３】
前記中央処理手段は、
前記カード所有者判断手段により正規のカード利用者であると判断された場合に、前記カード利用者に許可される操作を入退管理に係る設定操作として許可することを特徴とする請求項１記載の入退管理装置。
【請求項４】
前記中央処理手段は、
前記タッチ回数により前記暗証番号の数字を積算入力し、前記暗証番号入力後に前記カードが一定時間以上タッチされ続けることを検出して入力された番号の確定を行うことを特徴とする請求項１記載の入退管理装置。
【請求項５】
前記中央処理手段は、
前記暗証番号入力とその確定を行った後、前記暗証番号の数字の積算に相当するカードタッチ操作を行うことなく、前記カードが一定時間以上タッチされ続けることで、それ以前に入力された1桁以上の暗証番号を一連の暗証番号として認識することを特徴とする請求項４記載の入退管理装置。
【請求項６】
前記中央処理手段は、
前記カードが前記番号の確定のためのタッチ時間を超えて一定時間以上タッチされ続けることで、それまでに入力された暗証番号を一連の暗証番号として認識することを特徴とする請求項４記載の入退管理装置。
【請求項７】
前記中央処理手段は、
前記暗証番号入力の途中で、タッチする前記カードが変更された場合には、処理動作を中止することを特徴とする請求項１ないし６のいずれか１項に記載の入退管理装置。
【請求項８】
前記中央処理手段は、
前記暗証番号入力・確定操作の途中で、タッチする前記カードが変更された場合には、処理動作を中止することを特徴とする請求項４ないし６のいずれか１項に記載の入退管理装置。
【請求項９】
前記中央処理手段は、
前記カードがタッチされたことを検出してから一定時間以内に前記カードが検出されなくなったことを検出して前記暗証番号入力の数字の積算と判断するための暗証番号入力判断時間の最大値を第１の設定パラメータとして登録する手段と、前記カードがタッチされたことを検出してから一定時間以上の間前記カードが検出され続けたことを検出して、現在までに積算入力された暗証番号を確定すると判断するための入力番号決定判断時間を第２の設定パラメータとして登録する手段とを有することを特徴とする請求項１ないし８のいずれか１項に記載の入退管理装置。
【請求項１０】
前記中央処理手段は、
前記暗証番号入力判断時間として設定された時間と、前記入力番号決定判断時間として設定された時間の間で前記カードが検出されなくなった場合には、前記入力暗証番号の数字の積算も入力番号の決定も行わないことを特徴とする請求項９記載の入退管理装置。
【請求項１１】
前記中央処理手段は、
前記第１及び第２の設定パラメータが利用者の前記カード内に登録されており、前記カード利用者の操作タイミングの傾向によって前記第１及び第２の設定パラメータの値を書き換えることを特徴とする請求項９または１０記載の入退管理装置。
【請求項１２】
非接触ICカード内に記録されている情報を読み出し、その内容を判定することによって、カード利用者の入退可否判断を行う入退管理装置において、少なくとも、
アンテナ部を介して前記カードと通信を行う通信手段と、
入力すべき暗証番号の入力桁と当該桁に入力される数字を表示する表示手段と、
該表示手段における前記表示の制御を行う表示機能制御手段と、
接続インタフェースを介して扉の施解錠を行う扉施解錠制御手段と、
前記通信手段、前記表示機能制御手段、及び前記扉施解錠制御手段をそれぞれ制御する中央処理手段と、
を備え、
前記通信手段は、前記カード利用者によるカードタッチを検出して前記中央処理手段に伝達するカードタッチ検出手段を含み、
前記中央処理手段は、
前記カードタッチ検出手段が最初に検出したカードタッチで入退場可能なカードであるか否かを判定し、入退場可能なカードであると判定した場合には暗証番号入力モードに移行させる暗証番号入力移行手段と、
前記暗証番号入力モードへの移行後に前記カードタッチ検出手段が検出したカードタッチが前記最初にカードタッチしたカードと同一であるかを判定するカード同一判定手段と、
前記カードが同一であると判定した場合に、前記カードがタッチする回数とそのタッチ時間の組合せからあらかじめ登録された暗証番号入力が得られたかを判断する暗証番号入力判断手段を有し、該暗証番号入力判断手段により正規の暗証番号入力が得られた場合に前記扉施解錠制御手段による入退場制御を行わせる、
ことを特徴とする入退管理装置。
【発明の詳細な説明】
【技術分野】
【０００１】
本発明は、非接触IC(Integrated Circuit)カードを利用した入退管理装置にかかり、カードの情報を読み込ませる以外にカード所有者しか知りえない情報を入力して、利用者以外の者がカードを利用して操作を行うことを防止する入退管理装置に関するものである。
【背景技術】
【０００２】
従来、非接触ICカードを利用した入退管理装置においては、カードのタッチ操作によるカード情報の読み込み以外に、カードの操作によって装置を制御する手法として、カードを一定時間内に複数回タッチして、そのタッチ回数によって入退管理装置の操作を切り換える技術が知られている（特許文献１参照）。
【０００３】
すなわち上記特許文献１は、入退管理装置による扉の施錠／解錠の切換えと警戒モードの切替のために、操作用のカードを一定時間内に１回以上タッチし、そのタッチ回数からカード操作者が実行しようとしている操作内容を識別することを開示している。
【０００４】
特許文献１に開示される内容から、カード利用者が実行しようとしている操作内容を判断することは出来るものの、カード利用者が正規のカード所有者であるか否かを判断することは出来ない。
【０００５】
しかし、カード利用者が正規のカード所有者であることを判断するために良く知られている手法は、装置にカード利用者だけしか知らない暗証番号を入力させることである。このような手法を採っている装置の例としてはＡＴＭ(Automatic Tellers Machine：現金自動受払機)が知られている。そこで、本発明が改善しようとする非接触ICカードを利用した入退管理装置に上記周知の暗証番号入力装置を単純に導入して構成してみたのが図７に示す入退管理装置の操作・表示部の概略構成を示す図である。図７において入退管理装置の操作・表示部100は、カードタッチアンテナ部101にカード(図示せず)が置かれると、カード利用者に暗証番号（PIN：Personal ID Number）入力を要求し、カード利用者がテンキー102を使って暗証番号を入力すると、入力した暗証番号が入力暗証番号表示部103に表示されると同時にシステム(図示せず)が入力した暗証番号が利用されたカードに対応したものであるかを判断し、利用されたカードに対応していれば暗証番号を知っているのは正規のカード所有者であると判断することができる。
【特許文献１】特開平１０−１２４６３４号公報
【発明の開示】
【発明が解決しようとする課題】
【０００６】
図７に示した従来技術から予想される入退管理装置の操作・表示部100のように暗証番号を入力するための入力デバイスとしてテンキー102を装備するか、テンキーの代わりにタッチパネル(図示せず)を装備しようとする場合、入退管理装置では設置するスペース面やコスト面における制約がありすぎるという課題があった。
【０００７】
そこで本発明の目的は、非接触ICカードを利用した入退管理装置において、カード所有者以外が不正に入手したカードを利用して操作を行うことを防止するために、新たに特別な入力デバイスを設けることなく、暗証番号相当のカード利用者個人を識別する情報を入力することを可能とした入退管理装置を提供することにある。
【課題を解決するための手段】
【０００８】
上記課題を解決するために本発明の一態様は、非接触ICカード内に記録されている情報を読み出し、その内容を判定することによって、カード利用者の入退可否判断を行う入退管理装置において、少なくとも、アンテナ部を介して前記カードと通信を行う通信手段と、入力すべき暗証番号の入力桁と当該桁に入力される数字を表示する表示手段と、該表示手段における前記表示の制御を行う表示機能制御手段と、前記通信手段及び、前記表示機能制御手段をそれぞれ制御する中央処理手段と、を備え、前記中央処理手段は、カードをタッチする回数と、そのタッチ時間の組合わせから、カード利用者が正規のカード所有者であるか否かを判断するカード所有者判断手段を備えているものである。その場合において、正規のカード利用者であると判断された場合に、前記カード利用者に許可される操作を入退制御に係る操作として許可することが望ましい。さらに正規のカード利用者であると判断された場合に、前記カード利用者に許可される操作を入退管理に係る設定操作として許可することが望ましい。
【０００９】
また別の態様としては、カードのタッチ操作を暗証番号の入力操作に利用し、入退管理装置に対してカードタッチ操作をする毎に、表示する暗証番号の桁数字を順次積算し、タッチ時間が長い場合には積算表示された桁数字を確定する意思があると判断し、それに続いで再度カードタッチ操作を行うことで暗証番号の次の桁が入力されたと判断し、同様の入力・確定を繰り返すことで、暗証番号入力のための特別な入力デバイスを設けることなく暗証番号入力を可能としたものである。
【００１０】
さらに別の態様としては、タッチ時間長による操作決定のタイミングをパラメータとして設定可能にし、その設定値を利用者の操作傾向によって利用者の個別のタイミングに合うように設定可能としたものである。
【発明の効果】
【００１１】
本発明によれば、非接触ICカードを使用した入退管理装置において、カードとの通信を行うカード通信機能と表示機能以外の特別な入出力デバイスを設けることなく、カード所有者以外が不正にカードを使用して入場禁止エリアに入場しようと試みた際に、カード所有者自身しか知りえない暗証番号入力を要求することで、カード所有者以外の入場を規制することが可能となる。あるいは、正規の入退管理装置の設定操作を許可されている者以外が、設定操作用のカードを使って認証を行い装置の設定変更を行おうと試みた際に、同様に操作を規制することが可能となる。
【００１２】
また、利用者の暗証番号入力操作の習熟度に応じたタッチタイミングの設定が可能となることで、利用者の利便性の阻害も、機能追加による装置のコストアップも防止しながら、入退管理システムのセキュリティ性を向上させることが可能となる。
【発明を実施するための最良の形態】
【００１３】
以下、本発明の実施の形態について図面を参照しながら説明する。
図１は、本発明の実施形態に係る非接触ICカード入退管理装置の操作・表示部の構成を示す概略図である。
【００１４】
本発明の実施形態に係る非接触ICカード入退管理装置の操作・表示部は、図１に示すように、タッチ操作を行う非接触ICカード(図示せず)との通信を行うカードタッチアンテナ部22と、カードタッチ操作によって入力された暗証番号を表示する入力暗証番号表示部23とから構成されている。なお、図１に示す構成は単なる一例に過ぎず、カードタッチアンテナ部22と表示部23の位置関係等は本例に限定されるものではない。本明細書に示す図２においても同様である。
【００１５】
図２は、本発明の実施形態に係る非接触ICカード入退管理装置の内部機能構成例を示す図である。図２において、本発明の実施形態に係る非接触ICカード入退管理装置20は、非接触ICカードとの通信を行うためのリーダライタ (R/W：Reader/Writer) 21と、これに付随する利用者カード10との無線通信を行うアンテナ部22と、入力された暗証番号（PIN：Personal ID Number）を表示する表示デバイス23及びその表示機能の制御部24と、本入退管理装置が入退管理システムサーバ等のシステムを統合するサーバ等の上位機器と連携する際の通信制御部25及びその接続I/F 26と、本入退管理装置によって施解錠が行われる扉の制御部との接続I/F 27及びその制御部28と、本入退管理装置全体を制御するCPU(Central Processing Unit)29及びプログラムメモリ30と、設定データ・記録情報等を保存するデータメモリ31とで構成されている。
【００１６】
図３は、本発明の実施形態に係る非接触ICカード入退管理装置の動作を説明するための第１の動作シーケンス例を示す図である。すなわち、図３に示した第１の動作シーケンス例は、利用者のカードタッチとそのタッチ時間の組み合わせによって扉の施解錠操作を行う入退管理動作を行う場合を想定し、カードによる入場を想定した動作を例として説明する。
【００１７】
カード利用者が入退管理エリアに入場しようとした場合、利用者が入退管理に使用するカード10をカードタッチアンテナ部22にタッチすると、入退管理装置20はカード内の入退管理に必要な情報を読み出し、チェックを行い、当該カードが入場を許可されているカードであるかの判定を行う。これらの処理は、入退管理装置20のR/W21、CPU29、プログラムメモリ30、データメモリ31を使用して実現することができる。なお、この際の判定方法は本発明の主題と外れるが、例えばカードのID（Identification：個体識別）や、カード内に記録されている利用者IDをCPU29が読み出して、当該IDが入場を許可されたIDであるかを、例えば装置内データメモリ31に記録されている許可ID一覧と比較して、一致するIDがあれば入場を許可して良いカードであると判断する。入場可能なカードが使用された場合は、カード利用者が本人であるかを確認するために、暗証番号（PIN：Personal ID Number）入力モードに移行する（ステップS30）。
【００１８】
暗証番号入力モードに移行すると、入力暗証番号表示部23の入力対象の桁部を点滅させる制御を実施し、これから入力する番号が暗証番号の何桁目であるかを指示する（ステップS31）。入退管理装置20はカードタッチ待ち状態となり、カード利用者によってカードがタッチされるのを待ち、カードがタッチされると、アンテナとカード間の通信によってカードタッチされたことを検出する（ステップS32）。カードがタッチされると、上記ステップS30でチェックしたカードと同じであるかのチェックを行い（ステップS33）、カードが異なる場合には処理を中止して（ステップS34）、入場を許可しない。
【００１９】
タッチされたカードが上記ステップS30でチェックしたカードと同一であると確認された場合には、カードがタッチされている時間の計測を開始する。カードがタッチされている時間（カードタッチ時間とも云う）の計測方法は、本発明の主題ではないため詳細に言及しないが、例えばカードに対する読み出し動作を継続的に実施して、カードからの応答が返って来なくなった場合に、カードがアンテナから離された（タッチを終了した）と判断することが可能である。
【００２０】
ステップS32でカードタッチを検出してから暗証番号入力判断時間経過後も、カードがタッチされているかの判断を行い（ステップS35）、カードが既になかった場合には現在の入力対象桁の暗証番号の数字を+１積算する（ステップS36）。なお、カードがなかったことを検出する判断は、カードタッチ検出（ステップS32）後も継続的にカードのタッチ状況のチェックを行い、カードがなくなった（離れた）と判断した時点で、その時点の時間が暗証番号入力判断時間に達していないことで、ステップS36に進む方法でも良い。入力対象桁の数字を+１積算後、再びカードタッチ待ちとなり、カードタッチを検出（ステップS32）した場合には、上記ステップS33で示した判断から繰り返す。またステップS35でカードがまだタッチされていることを検出した場合には、継続的にカードのタッチ状況をチェックして、入力番号決定判断時間経過後もカードがタッチされているかの判断を行い（ステップS37）、カードが継続的にタッチされていた場合には、利用者は入力していた暗証番号の桁を、現在の数字で確定する処理を選択したと判断する。一方、この時点（ステップS37）でカードが既になかった場合には、利用者がタッチ操作による操作内容の意思表示が不明確であると判断し、数字の積算も確定も行わず、再度カードタッチ待ちとする。
【００２１】
上記ステップS37でカードがまだタッチされていることを検出した場合には、現在入力中の暗証番号の桁に数字が入力されているかによって（ステップS38）、もしもすでに数字が入力されていれば、現在入力されている数字でその桁の番号を確定する処理に移行する（ステップS39）。ステップS39にて入力中の桁の数字が確定するので、暗証番号を入力する桁は次の桁に移動する。その結果（ステップS31）では、次の入力対象桁部が点滅することになる。（なお、この時、まだ次の入力対象桁部への数字は入力されていないので、数字が表示されない状態で点滅していることになる。）
上記ステップS38で現在入力中の暗証番号の桁に数字が入力されていなかった場合には、その時点までに入力されている暗証番号の桁と、それぞれの桁に表示されている数字を入力暗証番号として確定することを利用者が選択したと判断し、それらの一連の暗証番号が正しい暗証番号であるか否かの判断処理（ステップS40）に移行する。
【００２２】
本動作シーケンスでは記述していないが、上記ステップS40以降で暗証番号が正しいと判断されれば、例えば扉の解錠を行い利用者の入場を許可し、正しくなかった場合には扉を解錠しない。あるいは、正規のカード利用者であると判断された場合に、カード利用者に許可される操作を入退制御に係る操作として許可し、さらに、正規のカード利用者であると判断された場合に、カード利用者に許可される操作を入退管理に係る設定操作として許可する。なお入退管理に係る設定操作の例としては、最終退場操作を行い以降は入室出来ないようにしてしまうとか、セキュリティ・レベルを変更して一般の入退場カードでは入れないように設定を変えてしまう等、特殊な権限を持ったカードがないと行えない操作を想定している。又、暗証番号の正当性をチェックするための正規の暗証番号は、カード毎に個別の値が設定されており、その値が入退管理装置内に記録されている場合、カード内に記録されているカード内情報を読み取る際にカードから取得する場合等も想定される。あるいはカード毎に固有ではなく、共通である場合もあるが、これら暗証番号の正当性判断方法については、本発明の主題から外れるのでここでは言及しない。
【００２３】
図４は、本発明の実施形態に係る非接触ICカード入退管理装置の動作を説明するための第２の動作シーケンス例を示す図である。この動作シーケンス例は、ＩＣカードを上述した番号の確定のためのタッチ時間を超えて一定時間以上タッチすることで、それまでに入力した暗証番号を一連の暗証番号として認識する場合のシーケンス例である。そして、図４に示した第２の動作シーケンス例は、図３に示した第１の動作シーケンス例と基本的には同一であるが、ステップS41でカードの有効性をチェックし、カードが有効であると確認された場合には、暗証番号入力モードに進むようにし、また、ステップS49では全暗証番号入力完了判断時間を設け、その時間に達した時点でもまだカードがタッチされているかをチェックし、それ以前にカードがなくなっていれば（ステップS49：No）、ステップS50に進み、現在入力中の桁への数字入力を確定し、次の桁の暗証番号入力処理に移行し、この時点でもまだカードがタッチされていた場合には（ステップS49：Yes）、これまでに入力された全桁の暗証番号で確定することを利用者が選択したと判断し、入力された暗証番号が正しいか否かの判断処理（ステップS51）に移行するようにして図３に示した動作シーケース１における判断内容を異ならしめている。ステップS51以降の処理については上述したのと同様なのでここでは再説しない。
【００２４】
図５は、本発明の実施形態に係る非接触ICカード入退管理装置における設定パラメータの下に設定される判断時間による動作の切替えを説明するための図である。すなわち図５は、設定パラメータとして、暗証番号入力判断時間設定値（パラメータA）および入力番号決定判断時間設定値（パラメータB）を設け、これらの設定パラメータによって規定される３つの時間帯例を示すものである。本実施形態においては図３および図４に示したように、カードタッチが検出（タイミングA）されてから、入退管理装置は継続的にカードとの通信を行う。この継続的な通信動作により、入退管理装置は、カードがカードタッチアンテナ部近傍に存在しているのか、離されてしまっているのかを判断することが可能となる。
【００２５】
そしてタイミングAから設定パラメータAで指定された判断時間までの時間帯が、暗証番号入力判断時間帯51と定義される。この時間帯の間にカードがカードタッチアンテナ部から離されてしまい、カードとの通信が途切れてしまった場合には、利用者が現在入力中の暗証番号の桁数字を+１積算する意思があると判断する。
【００２６】
また設定パラメータAで指定された判断時間から設定パラメータBで指定された判断時間までの時間帯が、操作判断保留時間帯52と定義される。この時間帯にカードとの通信が途切れた場合には、入力中の暗証番号の桁数字の積算は行わず、入力する暗証番号の桁表示を変えることなく、再度カードタッチ待ち状態に移行する。
【００２７】
また設定パラメータB以降の時間帯が入力番号決定判断時間帯53と定義される。この時間帯に至るまでカードがタッチされ続けていた場合は、利用者が現在入力している暗証番号の桁に入力され表示されている番号で確定することを希望している判断し、現在入力中の桁の数字(番号)を確定し、次の番号桁を暗証番号入力対象桁として、再度カードタッチ待ちに移行する。
【００２８】
これら設定パラメータはデータ長可変の設定値として、入退管理装置あるいはカード内に記録され、必要に応じて設定値を変更することで使い勝手が良くなるよう調整することが可能となる。これについては後述する。
【００２９】
図６は、本発明の実施形態に係る非接触ICカード入退管理装置の動作の切替えに使用する設定パラメータの変更を説明するための図である。すなわち図６の例では、利用者が暗証番号の入力対象桁の数字を積算させるに際して３回に亘ってカードタッチ操作を行った様子を示している。すなわち１回目のカードタッチ操作では、カードがタッチされてから離されるタイミングが、暗証番号入力判断時間帯51であったため、入力中の暗証番号の対象桁の数字は+１積算されることとなった。２回目のカードタッチ操作では、カードを離すタイミングが少し遅れたため、操作判断保留時間帯52に入ってしまい、入力中の暗証番号の対象桁の数字の積算は行われずに再タッチ待ちとなった。そこで利用者は再度入力中の暗証番号の対象桁の数字を積算させるために３回目のカードタッチ操作を実行し、３回目は暗証番号入力判断時間帯51でカードが離されたため入力中の暗証番号の対象桁の数字の積算が実行されることとなった。
【００３０】
この一連の操作において、利用者は入力中の暗証番号の対象桁の数字の積算を行わせるために計３回のタッチ操作を行ったが、利用者の操作習熟度が低いために２回目のタッチ操作だけは意図した積算動作に結びつかなかった。入退管理装置はこの３回のカードが離された時間帯から判断して、つまりカードが離された時間帯を学習して、例えば、次回はもう少し離す操作が遅れても積算動作が可能となるように、設定パラメータAの値を大きい値とし、それに伴い設定パラメータBの値を大きくする等の変更を行って、決定した設定パラメータを最後のカードタッチの際に利用者のカードに書き込む。これにより次回、利用者が装置を利用する際には、最初にカードをタッチした時に、入退管理装置がカードに記憶されている変更された設定パラメータをカードから読み取り、この設定パラメータに従って動作することから、次回は入力中の暗証番号の対象桁の数字の積算を確実に行わせることで番号入力操作に失敗する可能性を軽減することが可能となる。
【００３１】
同様に操作習熟度が上がった利用者の場合、カードを離すタイミングを早めて入力中の暗証番号の桁数字の積算を行えるようにするために設定パラメータAの値を小さくすることが可能となる。これに伴い設定パラメータBも小さくすることが可能となるため、操作習熟度の高い利用者は暗証番号入力時に対象桁の数字の積算を行わせる際にタッチしている時間が短くて済み、操作性を向上させることが可能となる。
【００３２】
なお、これら新規に設定される設定パラメータの決定アルゴリズムについては本発明の主題外であるが、上記例においては、例えば単純に３回のタッチの平均時間を算出する方法や、例えば一番操作が遅れた時のタイミング（上記図６の例では２回目のタイミング）を基準とする方法、等が考えられる。又、タッチ時間の履歴をカード内に保存する仕組みを設けることで、より詳細に操作習熟度を分析することも可能となる。
【産業上の利用可能性】
【００３３】
上記した本発明の実施形態で提示したカードタッチによる利用者の操作意思伝達方法は、入退管理装置の暗証番号入力に限定されるものではなく、入退管理装置以外の非接触ICカード利用装置における各種操作の切替え・決定方法にも適用可能である。
【図面の簡単な説明】
【００３４】
【図１】本発明の実施形態に係る非接触ICカード入退管理装置の操作・表示部の構成を示す概略図である。
【図２】本発明の実施形態に係る非接触ICカード入退管理装置の内部機能構成例を示す図である。
【図３】本発明の実施形態に係る非接触ICカード入退管理装置の動作を説明するための第１の動作シーケンス例を示す図である。
【図４】本発明の実施形態に係る非接触ICカード入退管理装置の動作を説明するための第２の動作シーケンス例を示す図である。
【図５】本発明の実施形態に係る非接触ICカード入退管理装置における設定パラメータの下に設定される判断時間による動作の切替えを説明するための図である。
【図６】本発明の実施形態に係る非接触ICカード入退管理装置の動作の切替えに使用する設定パラメータの変更を説明するための図である。
【図７】従来技術から予想される入退管理装置の操作・表示部の概略構成を示す図である。
【符号の説明】
【００３５】
１０  利用者カード
２０  非接触ICカード入退管理装置
２１  リーダライタ(R/W
２２  カードタッチアンテナ部(アンテナ部)
２３  暗証番号表示デバイス(入力暗証番号表示部)
２４  暗証番号表示機能制御部
２５  上位装置通信制御部
２６  上位機器接続I/F
２７  扉制御部接続I/F
２８  扉施解錠制御部
２９  CPU(Central Processing Unit)
３０  プログラムメモリ
３１  データメモリ
５１  暗証番号入力判断時間帯
５２  操作判断保留時間帯
５３  入力番号決定判断時間帯
【図１】
2010033370.tif 000003
【図２】
2010033370.tif 000004
【図３】
2010033370.tif 000005
【図４】
2010033370.tif 000006
【図５】
2010033370.tif 000007
【図６】
2010033370.tif 000008
【図７】
2010033370.tif 000009